(57)【要約】【課題】  単一の記録媒体処理部により、複数種類の記録媒体に対する処理を行えるようにした遊技媒体貸出処理装置および遊技媒体貸出システムを提供する。【解決手段】  玉貸処理ユニット４０に、会員用ＩＣカードを挿入するためのカード挿入口と、ＩＣコインを挿入するためのコイン挿入口を配設し、それぞれの挿入口にシャッタ機構（４４ａ、４４ｂ）を設ける。遊技客によって会員用ＩＣカードが挿入されたならば、コイン挿入口のコイン用シャッタ機構４４ｂを閉鎖して、ＩＣコインの挿入を禁止することで、会員用ＩＣカードおよびＩＣコインを排他的に受け付ける。排他的に受け付けられたＩＣカードまたはＩＣコインは、これら両方の記録媒体の読み取り処理が行える単一の記録媒体リード部４４ｃにより、その読み取り処理がなされることとなる。【選択図】  図３
2006198329.tif 000002
【特許請求の範囲】
【請求項１】
記録媒体によって特定される有価価値に基づいて遊技台に遊技媒体の貸出処理を行う遊技媒体貸出処理装置において、
第１の記録媒体を受け付ける第１の受付手段と、
前記第１の記録媒体と形状が異なる第２の記録媒体を受け付ける第２の受付手段と、
前記第１の受付手段による前記第１の記録媒体の受付状態において、前記第２の受付手段による前記第２の記録媒体の受け付けを禁止し、前記第２の受付手段による前記第２の記録媒体の受付状態において、前記第１の受付手段による前記第１の記録媒体の受け付けを禁止する制御を行う制御手段と、
前記第１の受付手段で受け付けた前記第１の記録媒体および前記第２の受付手段で受け付けた前記第２の記録媒体に対するアクセス処理を行う単一の記録媒体処理手段と
を具備することを特徴とする遊技媒体貸出処理装置。
【請求項２】
前記第１の受付手段は、
前記第１の記録媒体を受け付けるための第１の挿入口を有し、該第１の挿入口からの前記第１の記録媒体の受け付けを禁止するための第１のシャッタ機構を備え、
前記第２の受付手段は、
前記第２の記録媒体を受け付けるための第２の挿入口を有し、該第２の挿入口からの前記第２の記録媒体の受け付けを禁止するための第２のシャッタ機構を備え、
前記制御手段は、
前記第１の受付手段による前記第１の記録媒体の受付状態において、前記第２の受付手段の前記第２のシャッタ機構を制御し、前記第２の挿入口を閉鎖して前記第２の記録媒体の受け付けを禁止し、前記第２の受付手段による前記第２の記録媒体の受付状態において、前記第１の受付手段の前記第１のシャッタ機構を制御し、前記第１の挿入口を閉鎖して前記第１の記録媒体の受け付けを禁止する
ことを特徴とする請求項１記載の遊技媒体貸出処理装置。
【請求項３】
前記第１の受付手段および前記第２の受付手段は、
前記第１の記録媒体および前記第２の記録媒体を同一の挿入口から受け付ける
ことを特徴とする請求項１記載の遊技媒体貸出処理装置。
【請求項４】
前記第１の記録媒体は、
前記記録媒体処理手段と非接触で通信可能なカード型の形状を有するＩＣカードであり、
前記第２の記録媒体は、
前記記録媒体処理手段と非接触で通信可能なコイン型の形状を有するＩＣコインである
ことを特徴とする請求項１乃至３いずれかに記載の遊技媒体貸出処理装置。
【請求項５】
遊技客が遊技媒体を用いた遊技を行うための遊技台と、記録媒体によって特定される有価価値に基づいて前記遊技台に遊技媒体の貸出処理を行う遊技媒体貸出処理装置と、該遊技媒体貸出処理装置で貸出した遊技媒体に応じた記録媒体処理情報を保存管理する管理装置とを有する遊技媒体貸出システムにおいて、
前記遊技媒体貸出処理装置は、
第１の記録媒体を受け付ける第１の受付手段と、
前記第１の記録媒体と形状が異なる第２の記録媒体を受け付ける第２の受付手段と、
前記第１の受付手段による前記第１の記録媒体の受付状態において、前記第２の受付手段による前記第２の記録媒体の受け付けを禁止し、前記第２の受付手段による前記第２の記録媒体の受付状態において、前記第１の受付手段による前記第１の記録媒体の受け付けを禁止する制御を行う制御手段と、
前記第１の受付手段で受け付けた前記第１の記録媒体および前記第２の受付手段で受け付けた前記第２の記録媒体に対するアクセス処理を行う単一の記録媒体処理手段と、
前記記録媒体処理手段で処理された記録媒体処理情報を前記管理装置に通知する通信手段と
を具備し、
前記管理装置は、
前記通信手段で通知された記録媒体処理情報を管理する記録媒体情報管理手段
を具備することを特徴とする遊技媒体貸出システム。
【発明の詳細な説明】
【技術分野】
【０００１】
本発明は、パチンコ、スロットマシンなどの遊技台が設置された遊技場において、各遊技台の台間に配設されてパチンコ玉などの遊技媒体をＩＣコインやＩＣカードなど記録媒体の挿入によって貸し出す遊技媒体貸出処理装置および遊技媒体貸出システムに係わり、詳しくは、単一の記録媒体処理部でＩＣコインとＩＣカードの両者に対する処理を行えるようにした遊技媒体貸出処理装置および遊技媒体貸出システムに関する。
【背景技術】
【０００２】
従来、パチンコ玉やメダル等の遊技媒体を遊技台に投入して遊技を行うパチンコ台やスロットマシンなどの遊技台が知られている。遊技客がパチンコ台を用いてパチンコ遊技を行う際には、予めパチンコ台の台間に配設された貸出機からパチンコ玉を借り受ける必要がある。
【０００３】
パチンコ玉を貸し出す従来の貸出技術には、貸出機に投入した硬貨または紙幣に相当するパチンコ玉を貸し出す技術、カードを貸出機に投入し、遊技客が玉貸ボタンを押下する度に、例えば、５００円分のパチンコ玉を貸し出す技術などがある。
【０００４】
後者のカードによる方式では、例えば、プリペイドカードの場合、遊技客にプリペイドカードを発行すれば、遊技客がプリペイドカードを台間に配設された貸出機に挿入し、所定の操作を行うと、玉が貸し出される。プリペイドカードにはカード毎に設定される識別符号（カードＩＤ）が記録されており、識別符号毎の残度数が管理装置に記録されており、カードが使用されると管理装置の残度数が書き換えられる。
【０００５】
また、遊技場で採用されているカードとして、会員カードがある。会員カードは、会員登録を行った遊技客に発行されるもので、会員には、非会員には受けられない各種サービスが設定されており、遊技場としては、固定客の囲い込みを図ることができる。
【０００６】
一般的に、これらプリペイドカードや会員カードには、磁気カードが採用されていたが、近年ではＩＣチップが埋め込まれたＩＣカードに順次切替えられる傾向にある。ＩＣカードは、データの改ざんが困難であるため、磁気カードに比べてセキュリティが高く、またデータの記録量も多いため、会員カードの場合には、遊技場以外にもクレジットカードやデビットカードなどの各種カードと共用させることも可能になる。
【０００７】
このようなＩＣカードによりパチンコ玉を貸し出す技術としては、特許文献１に記載されたものが知られており、この特許文献１の発明によると、硬貨の他、ＩＣカードの受け付けを可能にし、受け付けた硬貨に相当する有価価値をＩＣカードに価値付けて、パチンコ玉を貸し出す技術について言及されている。
【０００８】
この他、貨幣（紙幣、硬貨）やカードによる貸出技術以外にも、ＩＣコインを用いてパチンコ玉を貸し出す技術が知られている。ＩＣコインは、上述したＩＣカードと同等の機能を有する記録媒体であり、ＩＣカードとの相違点としては、ＩＣカードがカード型の形状であるのに対し、ＩＣコインはコイン型の形状であることにある。
【０００９】
このようなＩＣコインによりパチンコ玉を貸し出す技術としては、特許文献２に記載されたものが知られており、この特許文献２の発明によると、ＩＣコインの真偽を判別するための認証処理を迅速にできるという技術について言及されている。また、特許文献３の発明では、ＩＣカードおよびＩＣコインに対する読み取り、書き込み処理が１台の貸出機により行えるという技術について言及されている。
【特許文献１】特開２００１−１３７５２５号
【特許文献２】特開２００２−１２６３３０号
【特許文献３】特開２００４−３１３３５３号
【発明の開示】
【発明が解決しようとする課題】
【００１０】
ところで、遊技場においては、できるだけ多くの遊技台を配設することで売上の増加を目指している。そのため、貸出機配設のために余分なスペースを確保することは売上が減少することとなり、貸出機内部に余分な構成要素が増えることは望ましくない。
【００１１】
このことを踏まえると、特許文献３の発明は、ＩＣカードとＩＣコインの両方を受け付けて処理を行えるという利便性はあるが、ＩＣカード用のリードライト部とＩＣコイン用のリードライト部とをそれぞれ別個に備える必要があるため、貸出機を配設するためのスペースが増大することとなり、売上に不利である。また、コストも余分にかかるという問題があった。
【００１２】
そこで、本発明は上記問題点に鑑みてなされたものであり、単一の記録媒体処理部により、複数種類の記録媒体に対する処理を行えるようにした遊技媒体貸出処理装置および遊技媒体貸出システムを提供することを目的とする。
【課題を解決するための手段】
【００１３】
上記目的を達成するため、請求項１の発明は、記録媒体によって特定される有価価値に基づいて遊技台に遊技媒体の貸出処理を行う遊技媒体貸出処理装置において、第１の記録媒体を受け付ける第１の受付手段と、前記第１の記録媒体と形状が異なる第２の記録媒体を受け付ける第２の受付手段と、前記第１の受付手段による前記第１の記録媒体の受付状態において、前記第２の受付手段による前記第２の記録媒体の受け付けを禁止し、前記第２の受付手段による前記第２の記録媒体の受付状態において、前記第１の受付手段による前記第１の記録媒体の受け付けを禁止する制御を行う制御手段と、前記第１の受付手段で受け付けた前記第１の記録媒体および前記第２の受付手段で受け付けた前記第２の記録媒体に対するアクセス処理を行う単一の記録媒体処理手段とを具備することを特徴とする。
【００１４】
また、請求項２の発明は、請求項１の発明において、前記第１の受付手段は、前記第１の記録媒体を受け付けるための第１の挿入口を有し、該第１の挿入口からの前記第１の記録媒体の受け付けを禁止するための第１のシャッタ機構を備え、前記第２の受付手段は、前記第２の記録媒体を受け付けるための第２の挿入口を有し、該第２の挿入口からの前記第２の記録媒体の受け付けを禁止するための第２のシャッタ機構を備え、前記制御手段は、前記第１の受付手段による前記第１の記録媒体の受付状態において、前記第２の受付手段の前記第２のシャッタ機構を制御し、前記第２の挿入口を閉鎖して前記第２の記録媒体の受け付けを禁止し、前記第２の受付手段による前記第２の記録媒体の受付状態において、前記第１の受付手段の前記第１のシャッタ機構を制御し、前記第１の挿入口を閉鎖して前記第１の記録媒体の受け付けを禁止することを特徴とする。
【００１５】
また、請求項３の発明は、請求項１の発明において、前記第１の受付手段および前記第２の受付手段は、前記第１の記録媒体および前記第２の記録媒体を同一の挿入口から受け付けることを特徴とする。
【００１６】
また、請求項４の発明は、請求項１乃至３いずれかの発明において、前記第１の記録媒体は、前記記録媒体処理手段と非接触で通信可能なカード型の形状を有するＩＣカードであり、前記第２の記録媒体は、前記記録媒体処理手段と非接触で通信可能なコイン型の形状を有するＩＣコインであることを特徴とする。
【００１７】
また、請求項５の発明は、遊技客が遊技媒体を用いた遊技を行うための遊技台と、記録媒体によって特定される有価価値に基づいて前記遊技台に遊技媒体の貸出処理を行う遊技媒体貸出処理装置と、該遊技媒体貸出処理装置で貸出した遊技媒体に応じた記録媒体処理情報を保存管理する管理装置とを有する遊技媒体貸出システムにおいて、前記遊技媒体貸出処理装置は、第１の記録媒体を受け付ける第１の受付手段と、前記第１の記録媒体と形状が異なる第２の記録媒体を受け付ける第２の受付手段と、前記第１の受付手段による前記第１の記録媒体の受付状態において、前記第２の受付手段による前記第２の記録媒体の受け付けを禁止し、前記第２の受付手段による前記第２の記録媒体の受付状態において、前記第１の受付手段による前記第１の記録媒体の受け付けを禁止する制御を行う制御手段と、前記第１の受付手段で受け付けた前記第１の記録媒体および前記第２の受付手段で受け付けた前記第２の記録媒体に対するアクセス処理を行う単一の記録媒体処理手段と、前記記録媒体処理手段で処理された記録媒体処理情報を前記管理装置に通知する通信手段とを具備し、前記管理装置は、前記通信手段で通知された記録媒体処理情報を管理する記録媒体情報管理手段を具備することを特徴とする。
【発明の効果】
【００１８】
本発明によれば、第１の記録媒体と、第１の記録媒体とは形状が異なる第２の記録媒体を排他的に受け付けて、単一の記録媒体処理部により、受け付けた記録媒体に対するアクセス処理を行うように構成したため、遊技媒体貸出処理装置の狭小化が図れるとともに、コストを抑制することができる。
【発明を実施するための最良の形態】
【００１９】
以下、この発明に係わる遊技システムの実施形態について添付図面を参照して詳細に説明する。なお、本実施の形態では、主として本発明をパチンコ遊技に適用した場合を示すこととする。
【００２０】
図１は、本発明に係わる遊技システムの全体構成を示す図である。
【００２１】
この遊技システムは、「島（６０）」と呼ばれるグループごとに複数の遊技台５０を配設している。また、各遊技台５０には、遊技媒体であるパチンコ玉を貸し出す玉貸処理ユニット（遊技媒体貸出処理装置）４０が配設されている。
【００２２】
本発明の要部である玉貸処理ユニット４０は、遊技台５０と遊技台５０との間（台間）にそれぞれ配設されており、遊技台５０が備える玉投出機構と連携してパチンコ玉の貸し出しを行う。
【００２３】
玉貸処理ユニット４０は、ＩＣコインおよびＩＣカード（以下、ＩＣコインおよびＩＣカードを総称して記録媒体という）の挿入を受け付けて、かかる記録媒体に価値付けされた有価価値に基づいてパチンコ玉の貸し出し処理を行う。
【００２４】
玉貸処理ユニット４０の前面パネルには、カード挿入口、コイン挿入口、コイン返却口、表示部、操作部などが設けられており、遊技台５０には、度数表示部、貸出ボタンなどが設けられている。
【００２５】
例えば、ＩＣコインにより遊技を行う場合、遊技客は、予め、玉貸処理ユニット４０にＩＣコインを挿入するとともに、必要に応じて貸出単位（１回の貸出操作により貸し出される度数）を設定しておく。
【００２６】
遊技客が遊技台５０に配設される貸出ボタンを操作すると、玉投出機構が作動し、遊技台５０の上皿へと貸出単位分のパチンコ玉が投出される。この投出代金は、ＩＣコインの識別データに対応してあらかじめ登録されている度数から減算される。
【００２７】
ここで、遊技客が残高ありの状態で遊技の終了を指示したならば、残度数としての有価価値が価値付けられたＩＣコインが返却されることとなる。この返却されたＩＣコインは、遊技媒体の貸出し用として利用することができ、また、精算時には記録媒体精算機８０で精算して換金することができる。
【００２８】
図２（ａ）に示されるように、ＩＣカード１０１は、ＩＣチップ１０１ａおよび図示しない送受信用アンテナが埋め込まれ、カード型の形状をした非接触で通信可能な記憶媒体であり、本実施例においては、会員登録を行った会員が会員用ＩＣカードとして利用する。
【００２９】
会員用ＩＣカードは、会員登録処理を行うことによって発行される。会員登録を希望する遊技客は、申し込み書に氏名、年齢、性別、住所、景品趣向・・・等の所定事項（会員属性情報）を記入して担当の店員に渡す。店員は、所定事項をターミナルコントローラ１０に登録して該利用者を会員として登録し、ターミナルコントローラ１０にテーブル（会員管理データベース２０）を作成する。そして、会員用ＩＣカードを遊技客（会員）に手渡す。
【００３０】
会員が会員用ＩＣカードを記録媒体発行機７０に挿入し、貨幣を投入し、所定の操作を行って価値付けを指示すると、会員用ＩＣカードの識別符号（会員ＩＤ）、価値付けされた有価価値などが記録媒体発行機７０からターミナルコントローラ１０に送られ、ターミナルコントローラ１０のテーブル（記録媒体管理データベース２１）に有価価値等が会員用ＩＣカードの識別符号に対応付けられて書き込まれる。そして、この会員用ＩＣカードが玉貸処理ユニットなどで使用可能になる。
【００３１】
一方、図２（ｂ）に示されるように、ＩＣコイン１０２にも、ＩＣチップ１０２ａが埋め込まれており、ＩＣカード１０１と同等の機能を有するコイン型の形状をした非接触で通信可能な記録媒体である。本実施例においては、非会員が主として利用することとなる。ＩＣコイン１０２はＩＣカード１０１に比べて、コストが安く、遊技客により持ち帰り等が行われたとしてもＩＣカード１０１に比べて、その損失が少なくて済むという利点がある。また、ＩＣコイン１０２は、ＩＣカード１０１に比べて小型であることから、後述する回収機構（コイン回収部４４ｄ）も小さくて済み、玉貸処理ユニット４０の小型化が図れるという利点も見込まれる。
【００３２】
ＩＣコインは、遊技場内に配設された記録媒体発行機７０で貨幣等を受け入れて発行されるもので、遊技客がＩＣコインを発行するため、記録媒体発行機７０に貨幣を投入すると、その投入された貨幣に相当する有価価値が価値付けられたＩＣコインが発行される。このとき、記録媒体発行機７０からターミナルコントローラ１０にＩＣコインの識別符号（コインＩＤ）、発行金額などが送出され、ターミナルコントローラ１０のテーブル（記録媒体管理データベース２１）に有価価値（発行金額）等がＩＣコインの識別符号に対応付けられて書き込まれ、ＩＣコインが玉貸処理ユニットなどで使用可能になる。このようにＩＣコインの購入には、特別な手続き等が必要ないため、主として会員用ＩＣカードを保持しない非会員である遊技客が利用することとなる。
【００３３】
この他、遊技場内には、パチンコ玉の計数処理を行うための計数機、計数結果に基づき景品交換を行う景品管理装置などが適宜設けられており、これら各装置間はＬＡＮ（Lacal Area Network）９０などで構成されたネットワークによりそれぞれ通信可能に接続される。
【００３４】
管理装置としてのターミナルコントローラ１０は、島６０を管理する島コントローラ３０に接続されており、この遊技システムの統括制御を行う。
【００３５】
ターミナルコントローラ１０は、上述した会員登録処理に際して会員によって記載された会員属性情報を会員管理データベース２０で管理し、各記録媒体の度数情報（有価価値）を含む情報を記録媒体管理データベース２１で管理している。また、上記会員管理データベース２０および上記記録媒体管理データベース２１で管理している記録媒体毎の入金情報や使用情報を集計し、出力（画面表示、プリントアウト等）を行うことができる。玉貸処理ユニット４０にＩＣコインあるいは会員用ＩＣカードが挿入されたならば、この記録媒体内の識別データが島コントローラ３０を介してターミナルコントローラ１０に転送され、該ターミナルコントローラ１０から識別データに対応する価値データ（残度数：有価価値）が玉貸処理ユニット４０に返送される。
【実施例】
【００３６】
ここで、図１に示すような基本構成を有する遊技システムにおける実施例について説明する。
【００３７】
図３は、図１に示したターミナルコントローラ１０および玉貸処理ユニット４０および遊技台５０の内部構成を示すブロック図である。なお、ここでは、本発明に係わる構成要素のみを挙げて説明する。上記図１と同一のものには同一の符号を付してある。
【００３８】
ターミナルコントローラ１０は、遊技システム全体を統括制御するコントローラであり、各種処理機能部として、ネットワークに接続された各々の装置と通信を行うＴ／Ｃ通信部１１と、各種データを一時的に記憶するＴ／Ｃメモリ１２と、各種データ入力等を行う入力装置であるＴ／Ｃ操作部１３と、各種情報の表示を行う表示装置であるＴ／Ｃ表示部１４と、ターミナルコントローラ１０を統括制御するＴ／Ｃ制御部１５と、各種データを記憶するＴ／Ｃ記憶部１６と、各種データベースで管理されるデータの管理等を行うデータベース管理部１７と、会員属性情報を管理する会員管理データベース２０と、各記録媒体の度数等を管理する記録媒体管理データベース２１とを具備して構成される。以上がターミナルコントローラ１０の内部構成を示す各機能ブロック図の説明である。
【００３９】
次に、玉貸処理ユニット４０は、ＩＣコインおよび会員用ＩＣカードの挿入を受け付け、これを処理するためのユニットである。先に述べたとおり、この遊技システムにおけるパチンコ玉の貸し出しは、主にこの玉貸処理ユニット４０と、遊技台５０が備える玉投出機構５５とが連携することで実現される。
【００４０】
玉貸処理ユニット４０は、各種処理機能部として、上位用通信部４１と、表示操作部４２と、メモリ４３と、記録媒体処理部４４と、遊技台用通信部４５と、制御部４６とを具備して構成される。
【００４１】
上位用通信部４１は、玉貸処理ユニット４０とＬＡＮ９０とを接続するインターフェース装置である。具体的には、玉貸処理ユニット４０において処理された会員用ＩＣカードまたはＩＣコインから減算された有価価値に相当する売上情報をターミナルコントローラ１０へ送信したり、ターミナルコントローラ１０より各種制御信号の受信を行う。
【００４２】
表示操作部４２は、玉貸処理ユニット４０外部に備わる液晶ディスプレイなどであり、具体的には、操作ボタンなどの入力用デバイスと、ＬＥＤ（Light Emitting Diode）、ＬＣＤ（Liquid Crystal Display）などの表示用デバイスとを具えたユーザインターフェースである。
【００４３】
メモリ４３は、各種データを一時的に記憶する機能を有する揮発性メモリであり、遊技台５０の識別情報（遊技台ＩＤ）に対応して、記録媒体処理部４４に格納された記録媒体の識別符号（会員ＩＤ若しくはコインＩＤ）と、各記録媒体に関連付けられている残度数が一時的に記憶される。
【００４４】
記録媒体処理部４４は、遊技客がパチンコ玉を借り受けるためにＩＣコインを挿入するためのコイン挿入口（第２の受付手段）と、会員用ＩＣカードを挿入するためのカード挿入口（第１の受付手段）とを有し、挿入されたＩＣコインおよび会員用ＩＣカードを受け付けて、かかる記録媒体の処理を行う処理部である。ここで処理される記録媒体には、それぞれ個別の識別符号が付与されており、当該識別データに対応する残度数情報がターミナルコントローラ１０において管理される。さらに、記録媒体処理部４４には、コイン用シャッタ機構４４ａと、カード用シャッタ機構４４ｂと、記録媒体リード部と４４ｃと、コイン回収部４４ｄとが備えられる。
【００４５】
コイン用シャッタ機構４４ａは、コイン挿入口に設けられ、ＩＣコインの受け付けが可能な場合には当該挿入口を開放し、ＩＣコインの受け付けを許可しない場合には当該挿入口を閉鎖するシャッタである。
【００４６】
カード用シャッタ機構４４ｂは、カード挿入口に設けられ、コイン用シャッタ機構４４ａ同様に、会員用ＩＣカードの受け付けが可能な場合には当該挿入口を開放し、会員用ＩＣカードの受け付けを許可しない場合には当該挿入口を閉鎖するシャッタである。
【００４７】
これらコイン用シャッタ機構４４ａおよびカード用シャッタ機構４４ｂは、制御部４６の指示に従って、シャッタの開閉を行うこととなる。いずれか一方の記録媒体が記録媒体処理部４４に取り込まれている場合に、これらシャッタ機構が動作して、もう一方の記録媒体の受け付けを禁止して、ＩＣコインおよび会員用ＩＣカードの受け付けを排他的に行うように制御される。
【００４８】
記録媒体リード部４４ｃは、挿入された記録媒体から該記録媒体に付与された識別符号等の情報の読み取りを行う処理部であり、ＩＣコインと会員用ＩＣカードの両方に対して略同様の読み取り処理を行うことができる。例えば、カード挿入口から会員用ＩＣカードが挿入されたならば、かかるカードからカード情報の読み取りを行い、当該遊技場において使用可能なカードであるか否かのチェックおよびカードが有するデータに破損がないか等のチェックを行う。
【００４９】
コイン回収部４４ｄは、残度数が０であるＩＣコインを回収する処理部である。すなわち、遊技によって残度数が０となったＩＣコインを排出せずにコイン回収部４４ｄで回収する。
【００５０】
遊技台用通信部４５は、玉貸処理ユニット４０と遊技台５０とを接続するインターフェース装置であり、この接続によって玉貸処理ユニット４０は、遊技台５０を動作制御するための制御信号を授受することができる。
【００５１】
制御部４６は、玉貸処理ユニット４０を統括制御する。すなわち、玉貸処理ユニット４０を構成する各種処理機能部は、この制御部４６からの指示に従って動作する。また、制御部４６は、遊技台５０とも各種制御信号およびデータを授受しており、遊技台５０に備わる玉投出機構５５を直接的または間接的に制御できる。
【００５２】
さらに、制御部４６内には、記録媒体処理部４４に設けられたＩＣコイン挿入口やカード挿入口に備わるシャッタ機構（４４ａおよび４４ｂ）の制御を行うシャッタ制御部４６ａが備わる。
【００５３】
シャッタ制御部４６ａは、いずれか一方の記録媒体が記録媒体処理部４４に取り込まれている場合には、シャッタを制御して、もう一方の記録媒体の受け付けを禁止して、記録媒体の受け付けを排他的に行うように制御する。例えば、コイン挿入口からＩＣコインが挿入されるとともに、カード挿入口のカード用シャッタ機構４４ｂを制御して、カード挿入口を閉鎖し、会員用ＩＣカードの挿入を禁止する。以上が玉貸処理ユニット４０の内部構成を示す各機能ブロック図の説明である。
【００５４】
次に、遊技台５０について説明する。遊技台５０は、玉貸処理ユニット４０により動作制御されるものであり、玉貸処理ユニット４０が接続されていないと動作できない仕組みとなっている。
【００５５】
遊技台５０は、各種処理機能部として、貸出ボタンおよびカード返却ボタン等が配設される遊技台操作部５１と、ＩＣコイン若しくは会員用ＩＣカードの残度数などを表示する遊技台表示部５２と、遊技台５０を統括制御する遊技台制御部５３と、玉貸処理ユニット４０と通信を行う遊技台通信部５４と、玉貸処理ユニット４０と連携して動作する玉投出機構５５とを具備して構成される。以上が本発明に係わるターミナルコントローラ１０および玉貸処理ユニット４０および遊技台５０の内部構成を示す各機能ブロック図の説明である。
【００５６】
次に、図４を参照しながら玉貸処理ユニット４０および遊技台５０の外観を説明する。なお、上記図３と同一のものには同一の符号を付してある。
【００５７】
同図には、上記図３で説明した玉貸処理ユニット４０および遊技台５０の前面部の一例を示す外観が図示されている。
【００５８】
玉貸処理ユニット４０は前面部に、状態に応じて点灯方法を変更する状態表示ランプ４７と、各種情報の表示および操作が行える表示操作部４２と、遊技客がＩＣコインを挿入するためのＩＣコイン挿入口（コイン用シャッタ機構）４４ａと、遊技客が会員用ＩＣカードを挿入するためのカード挿入口（カード用シャッタ機構）４４ｂと、ＩＣコインを遊技客に返却するためのコイン返却口４４ｅとを具備して構成される。
【００５９】
一方、遊技台５０は、貸出単位に設定された度数分のパチンコ玉の貸し出しを指示する貸出ボタン５１ａと、挿入中の記録媒体の排出を指示する返却ボタン５１ｂと、カード残度数などを表示する遊技台表示部５２とを具備して構成される。例えば、玉貸処理ユニット４０に会員用ＩＣカードが挿入された状態で、遊技台５０に配設される貸出ボタン５１ａを押下したならば、貸出単位に設定された度数分のパチンコ玉の貸し出しが行われ、返却ボタン５１ｂを押下したならば、挿入中の会員用ＩＣカードが排出されることとなる。
【００６０】
図５には、玉貸処理ユニット４０の内部構成を示す側面図が示されている。
【００６１】
同図に示されるように、玉貸処理ユニット４０の内部には、コイン挿入口４４ａから挿入されたＩＣコインがコイン返却口４５ｅから排出されるまでのコイン搬送路上で、玉貸処理ユニット４０前面部のカード挿入口４４ｂが設けられる位置、すなわち、コイン搬送路とカード搬送路が重なり合う位置に記録媒体リード部４４ｃが配設される。
【００６２】
このようにコイン搬送路とカード搬送路が重なり合う位置に記録媒体リード部４４ｃを配設することにより、ＩＣコインおよび会員用ＩＣカードに対する処理を単一の記録媒体リード部４４ｃによって行うことができる。
【００６３】
例えば、コイン挿入口４４ａからＩＣコインが挿入されると、挿入されたＩＣコインは、コイン搬送路（上部）を経て記録媒体リード部４４ｃが配設される位置まで自由落下により搬送される。図示しないコイン停止部材により記録媒体リード部４４ｃが配設された位置でＩＣコインが停止すると、記録媒体リード部４４ｃにより、ＩＣコインの読み取り処理が行われるとともに、当該コインに付与された識別データに対応する残度数情報をターミナルコントローラ１０から受信することとなる。
【００６４】
ここで、受信した残度数が、遊技によって０となったならば、記録媒体リード部４４ｃは、当該コインをコイン回収部４４ｄへと排出し、ＩＣコインの回収が行われることとなる。一方、残度数が残っている状態で遊技の終了が指示されたならば、当該コインは、コイン返却口４４ｅから遊技客へと返却されることとなる。
【００６５】
図６は、記録媒体リード部４４ｃおよびコイン搬送路およびカード搬送路の位置関係を説明する概略図（垂直断面図）である。
【００６６】
同図に示されるように、記録媒体リード部４４ｃには、ＩＣコインおよび会員用ＩＣカードと交信するためのアンテナ部４４ｆが備えられ、このアンテナ部４４ｆを介して、ＩＣコインおよび会員用ＩＣカードから情報の読み取りが行われる。
【００６７】
なお、本実施例においては、ＩＣコインおよび会員用ＩＣカードの受け付けを排他的に行うように構成しているので、アンテナ部４４ｆによるＩＣコインおよび会員用ＩＣカードとの交信は、同一周波数を用いて行うことができ、これにより、ＩＣコインおよび会員用ＩＣカードからの情報の読み取りを単一の記憶媒体リード部４４ｃで行うことを可能にするとともに、その構成を簡略化できる。
【００６８】
図７は、本発明に係わる遊技システムの動作を説明するフローチャートである。
【００６９】
玉貸処理ユニット４０は、ＩＣコイン若しくは会員用ＩＣカードが挿入されるまで待機している（ステップＳ１０１でＮＯの後、ステップＳ１０２でＮＯ）。ここで、遊技客によってカード挿入口４４ｂから会員用ＩＣカードが挿入されると（ステップＳ１０１でＹＥＳ）、シャッタ制御部４６ａにより、コイン挿入口に設けられたコイン用シャッタ機構４４ａが閉鎖され（ステップＳ１０３）、ＩＣコインの挿入が行えないように制御される。また、制御部４６では、挿入された記録媒体がカードである旨を記録媒体情報に設定する（ステップＳ１０４）。
【００７０】
一方、遊技客によってコイン挿入口４４ａからＩＣコインが挿入されると（ステップＳ１０２でＹＥＳ）、シャッタ制御部４６ａにより、カード挿入口に設けられたカード用シャッタ機構４４ｂが閉鎖され（ステップＳ１０５）、会員用ＩＣカードの挿入が行えないように制御される。また、制御部４６では、挿入された記録媒体がコインである旨を記録媒体情報に設定する（ステップＳ１０６）。
【００７１】
このようにしてシャッタ制御部４６ａによる排他制御がなされることで、ＩＣコイン若しくは会員用ＩＣカードのいずれか一方の記録媒体が玉貸処理ユニット４０内に取り込まれると、記録媒体リード部４４ｃにより挿入された記録媒体の読み取り処理がなされる。先に述べた通り、当該遊技場において使用可能な記録媒体であるか否かのチェックおよび記録媒体が有するデータに破損がないか等のチェックを行う。
【００７２】
記録媒体の読み取りが正常に行われると、制御部４６は、当該記録媒体が有する識別符号を含む情報を上位用通信部４１を介してターミナルコントローラ１０へと送信し、残度数情報の問い合わせを行う（ステップＳ１０８）。
【００７３】
この問い合わせ要求を受信したターミナルコントローラ１０では、データベース管理部１７により記録媒体管理データベース２１上を走査して受信した記録媒体の識別符号と対応する残度数情報を取得し、残度数情報を玉貸処理ユニット４０へと返送する。
【００７４】
玉貸処理ユニット４０の制御部４６は、残度数情報を上位用通信部４１を介して受信すると、受信した残度数情報を記録媒体リード部４４ｃで読み取り処理がなされた記録媒体に関連付けてメモリ４３上に一時記憶するとともに（ステップＳ１０９）、当該記録媒体の度数情報の表示を遊技台５０に依頼する。この依頼を受信した遊技台５０では、受信した度数情報を遊技台表示部５２に表示する（ステップＳ１１０）。
【００７５】
遊技台表示部５２に残度数情報が表示されると、玉貸処理ユニット４０は、制御部４６により、当該記録媒体の残度数情報が０であるか否かを判別し（ステップＳ１１１）、残度数情報が０でない場合（ステップＳ１１１でＮＯ）、玉貸処理ユニット４０は、遊技客によって何らかの操作が行われるまで待機する（ステップＳ１１２でＮＯの後、ステップＳ１１３でＮＯ）。具体的には、遊技客によって遊技台５０に配設される貸出ボタン５１ａ、返却ボタン５１ｂのいずれかが押下されるまで待機する。
【００７６】
一方、残度数情報が０である場合は（ステップＳ１１１でＹＥＳ）、挿入された記録媒体の返却若しくは回収処理を行うこととなる。
【００７７】
この返却若しくは回収処理では、まず、挿入された記録媒体がＩＣコインであるのか、会員用ＩＣカードであるのかを制御部４６にて判断する（ステップＳ１１７）。この判断は、上述した記録媒体情報に基づいて行われることとなり、記録媒体情報にコインが設定されているならば（ステップＳ１１７でＹＥＳ）、この場合、ＩＣコインの残度数が０であるため、当該コインは、遊技客には返却されずコイン回収部４４ｄへと回収される（ステップＳ１１８）。
【００７８】
このようにしてＩＣコインが回収されると、シャッタ制御部４６ａにより、カード挿入口に設けられたカード用シャッタ機構４４ｂが開放される（ステップＳ１１９）。そして、制御部４６により、メモリ４３上の残度数情報や記録媒体情報が消去された後（ステップＳ１２２）、ステップＳ１０１に戻り、玉貸処理ユニット４０は、再び待機状態となる。
【００７９】
また、上述したステップＳ１１７で記録媒体情報にカードが設定されているならば（ステップＳ１１７でＮＯ）、挿入中の会員用ＩＣカードが排出され、遊技客に返却される（ステップＳ１２０）。
【００８０】
このようにして会員用ＩＣカードが返却されると、シャッタ制御部４６ａにより、コイン挿入口に設けられたコイン用シャッタ機構４４ａが開放される（ステップＳ１２１）。そして、制御部４６により、メモリ４３上の残度数情報や記録媒体情報が消去された後（ステップＳ１２２）、ステップＳ１０１に戻り、玉貸処理ユニット４０は、再び待機状態となる。
【００８１】
一方、上述したステップＳ１１１で残度数情報が０でないと判断され、遊技客による何らかの操作待ちとなっている状態で、遊技客によって遊技台５０に配設された貸出ボタン５１ａが押下された場合（ステップＳ１１２でＹＥＳ）、遊技台制御部５３から玉貸処理ユニット４０の制御部４６へと貸出要求が送信される。
【００８２】
遊技台５０より貸出要求を受信した玉貸処理ユニット４０の制御部４６では、遊技台５０の玉投出機構５５に対して予め設定された貸出単位分の貸玉を投出するように指示を与える（ステップＳ１１４）。かかる指示とともに、遊技台５０より貸玉投出が行われ、遊技客へとパチンコ玉の貸し出しが行われることとなる。
【００８３】
この投出とともに玉貸処理ユニット４０の制御部４６は、メモリ４３上で記録媒体に関連付けて一時記憶された残度数情報から前述の貸出単位分に相当する度数を減算更新し（ステップＳ１１５）、該減算された残度数情報と記録媒体の識別符号とを含む情報を上位用通信部４１を介してターミナルコントローラ１０へと送信する（ステップＳ１１６）。また、残度数情報の送信処理と同時に、玉貸処理ユニット４０の制御部４６は、減算された残度数情報の更新表示を遊技台５０に依頼することとなる（ステップＳ１１０）。この依頼を受信した遊技台５０では、受信した度数情報を遊技台表示部５２に更新表示する。
【００８４】
また、上述したステップＳ１１１で残度数情報が０でないと判断され、遊技客による何らかの操作待ちとなっている状態で、遊技客によって遊技台５０に配設された返却ボタン５１ｂが押下された場合（ステップＳ１１２でＮＯの後、ステップＳ１１３でＹＥＳ）、遊技台制御部５３から玉貸処理ユニット４０の制御部４６へと返却要求が送信される。
【００８５】
遊技台より返却要求を受信した玉貸処理ユニット４０の制御部４６では、上述したステップＳ１１７からステップＳ１１２で説明した内容と略同様の処理を行い、記録媒体の返却を行うこととなる。但し、返却ボタン５１ｂが押下された場合には、記録媒体の残度数情報が０でないため、玉貸処理ユニット４０に挿入された記録媒体がＩＣコインである場合にも、残度数が残っているため、ＩＣコインを返却することとなる。
【００８６】
以上説明したように本発明においては、会員用ＩＣカードおよびＩＣコインを排他的に受け付けて、単一の記録媒体リード部４４ｃにより、受け付けた記録媒体に対する処理を行うように構成したため、玉貸処理ユニット４０の狭小化が図れるとともに、コストを抑制することができる。
【００８７】
なお、本発明は、上記および図面に示す実施例に限定することなく、その要旨を変更しない範囲内で適宜変形して実施できるものであり、上述した実施例で説明した遊技媒体貸出システムにおけるその他変形実施例を下記にいくつか列挙する。
【００８８】
１）上記実施例では、コイン挿入口およびカード挿入口を別々に配設する玉貸処理ユニットを説明したが、これに限られることなく、ＩＣコインおよび会員用ＩＣカードの挿入口が共通であってもよい。例えば、図８（ａ）前面部および（ｂ）前面部に示されるように、玉貸処理ユニット４０の前面部に共通の挿入口と、取出しボタンとを設ける。
【００８９】
共通の挿入口からＩＣコインを挿入する場合には、かかる挿入口にＩＣコインを押し込んで挿入する。ＩＣコインを押し込んで挿入すると、図中（ａ）側面図に示されるように、その押し込み動作に連動する図示しない機械的構成により取出しボタンが突出する。
【００９０】
このＩＣコインの取出し時には、この突出した取出しボタンを押下する。この取出しボタンの押下により、ＩＣコインが排出されるとともに、取出しボタンが元の状態に復帰する。
【００９１】
また、会員用ＩＣカードも上記ＩＣコインと同様であり、この場合も会員用ＩＣカードを押し込んで挿入する。但し、図中（ｂ）側面図に示されるように、会員用ＩＣカードの場合は、ＩＣチップのアンテナが埋め込まれた部分が記録媒体リード部４４ｃに挿入されていれば、カード内の情報が読み取れるので、カード全てが記録媒体リード部４４ｃに挿入されている必要はない。
【００９２】
２）上記実施例では、挿入口にシャッタ機構を設けることで、ＩＣコインおよび会員用ＩＣカードを排他的に受け付ける場合を説明したが、記録媒体リード４４ａでＩＣコインおよび会員用ＩＣカードが排他的に処理されればよく、上記実施例以外の方法で記録媒体リード部４４ａでの記録媒体に対する処理を排他的に行えるようにしてもよい。
【００９３】
例えば、シャッタ制御部４６ａによる排他制御は行わずに、ＩＣコインが挿入中であっても、会員用ＩＣカードの挿入を許可する。そして、ＩＣコインの残度数がある状態で会員用ＩＣカードが挿入されると、当該コインをコイン回収部４４ｄへ回収する。このとき回収されたＩＣコインの残度数は、メモリ４３上に一時記憶されているので、かかる残度数情報を会員用ＩＣカードの残度数に加算して、ＩＣコインの残度数を会員用ＩＣカードの残度数に移し替える。遊技客によって返却が指示されたならば、会員用ＩＣカードのみが返却されることとなる。
【００９４】
３）上記実施例では、玉貸処理ユニット４０でＩＣコインおよび会員用ＩＣカードを受け付ける場合を説明したが、これに限られることなく、貨幣の受け付けを行えるようにしてもよい。この場合、玉貸処理ユニット４０内にＩＣコインを貯留し、受け付けた貨幣に相当する有価価値を、貯留されたＩＣコインに価値付けし、パチンコ玉の貸出しを行う。このとき、残度数が残っている状態で遊技の終了が指示されたならば、当該コインを釣り銭として遊技客へ返却する。
【００９５】
４）上記実施例では、玉貸処理ユニット４０に記録媒体リード部４４ｃを配し、挿入された記録媒体に対する読み取り処理を単一の記録媒体リード部４４ｃにより行う場合を説明したが、これに限られることなく、記録媒体リード部４４ｃに置き換えて、記録媒体に対する読み取り、書き込みが行える記録媒体リードライト部を配設してもよい。
【００９６】
５）上記実施例では、ＩＣコインを非会員用としＩＣカードを会員用として採用する場合を説明したが、これに限られることなく、ＩＣコインを会員用としてもよい。適宜、遊技場のルールに合わせて変更できるものである。
【００９７】
６）上記実施例では、記録媒体リード部４４ｃの片側にコイン搬送路とカード搬送路を設けて、単一の記録媒体リード部４４ｃにより、挿入されたＩＣコインおよび会員用ＩＣカードの読み取り処理を行う場合を説明したが（図６参照）、記録媒体リード部４４ｃでＩＣコインおよび会員用ＩＣカードの読み取り処理が行えればよく、例えば、記録媒体リード部４４ｃをコイン搬送路とカード搬送路の間に配設してもよい。
【００９８】
７）上記実施例では、遊技台５０の玉投出機構５５から遊技客にパチンコ玉を貸し出す場合を説明したが、これに限られることなく、玉貸処理ユニット４０に玉投出機構と、ノズルを設け、かかる玉投出機構からノズルを介して遊技客にパチンコ玉を貸し出すようにしてもよい。
【００９９】
８）上記実施例では、貸出ボタン５１ａ、返却ボタン５１ｂ、遊技台表示部５２を遊技台５０に配設する場合を説明したが、これらを玉貸処理ユニット４０に配設するようにしてもよい。
【０１００】
９）メダル貸出機に本発明を適用してもかまわない。
【産業上の利用可能性】
【０１０１】
本発明の遊技媒体貸出処理装置および遊技媒体貸出システムは、単一の記録媒体読取部により、複数種類の記録媒体を受け付けて処理するように構成したため、省スペースかつコスト削減を図る場合に有効であり、特に、パチンコ台などを配設し遊技サービスを提供するパチンコホールで有効利用することができる。
【図面の簡単な説明】
【０１０２】
【図１】本発明に係わる遊技システムの全体構成を示す図である。
【図２】記録媒体の外観の一例を示す図である。
【図３】ターミナルコントローラ１０および玉貸処理ユニット４０および遊技台５０の内部構成を示すブロック図である。
【図４】玉貸処理ユニット４０および遊技台５０の外観構成を示す図である。
【図５】玉貸処理ユニット４０の内部構成を示す側面図が示されている。
【図６】記録媒体リード部４４ｃおよびコイン搬送路およびカード搬送路の位置関係を説明する概略図（垂直断面図）である。
【図７】本発明に係わる遊技システムの動作を説明するフローチャートである。
【図８】本発明に係わる遊技システムの変形例を示す図である。
【符号の説明】
【０１０３】
１０    ターミナルコントローラ
１１    Ｔ／Ｃ通信部
１２    Ｔ／Ｃメモリ
１３    Ｔ／Ｃ操作部
１４    Ｔ／Ｃ表示部
１５    Ｔ／Ｃ制御部
１６    Ｔ／Ｃ記憶部
１７    データベース管理部
２０    会員管理データベース
２１    記録媒体管理データベース
３０    島コントローラ
４０    玉貸処理ユニット
４１    上位用通信部
４２    表示操作部
４３    メモリ
４４    記録媒体処理部
４４ａ    コイン用シャッタ機構（コイン挿入口）
４４ｂ    カード用シャッタ機構（カード挿入口）
４４ｃ    記録媒体リード部
４４ｄ    コイン回収部
４４ｅ    コイン返却口
５０    遊技台
５１ａ    貸出ボタン（遊技台操作部：５１）
５１ｂ    返却ボタン（遊技台操作部：５１）
５２    遊技台表示部
５３    遊技台制御部
５４    遊技台通信部
５５    玉投出機構
６０    島
７０    記録媒体発行機
８０    記録媒体精算機
９０    ＬＡＮ（Local Area Network）
１０１    ＩＣカード
１０２    ＩＣコイン
１０１ａ、１０２ａ    ＩＣチップ
【図１】
2006198329.tif 000003
【図２】
2006198329.tif 000004
【図３】
2006198329.tif 000005
【図４】
2006198329.tif 000006
【図５】
2006198329.tif 000007
【図６】
2006198329.tif 000008
【図７】
2006198329.tif 000009
【図８】
2006198329.tif 000010